(57)【要約】【課題】電子機器の仕様を維持しながら、電子機器から発電装置を取り外す手間を省くことが可能となる、発電装置を提供すること。【解決手段】発電装置１は、携帯電話Ｔに対して着脱自在に取り付けられる保護ケース１０であって、携帯電話Ｔの少なくとも一部の側面を覆うことにより、当該携帯電話Ｔを保護する保護ケース１０と、保護ケース１０の内部に少なくとも一部が収容された発電部２０であって、当該発電部２０が外力によって駆動されることにより発電を行う発電部２０と、保護ケース１０の内側から外側に向けて少なくとも一部が移動可能となるように、保護ケース１０に取り付けられた操作レバー３０ａ、３０ｂであって、当該操作レバー３０ａ、３０ｂに外力が加えられた場合に、当該操作レバー３０ａ、３０ｂの移動に伴って、発電部２０に対して外力を伝達するための操作レバー３０ａ、３０ｂと、を備えている。【選択図】図４
2014068162.tif 000002
【特許請求の範囲】
【請求項１】
電子機器に対して着脱自在に取り付けられる保護手段であって、前記電子機器の少なくとも一部の側面を覆うことにより、当該電子機器を保護する保護手段と、
前記保護手段の内部に少なくとも一部が収容された発電手段であって、当該発電手段が外力によって駆動されることにより発電を行う発電手段と、
前記保護手段の内側から外側に向けて少なくとも一部が移動可能となるように、前記保護手段に取り付けられた操作手段であって、当該操作手段に外力が加えられた場合に、当該操作手段の移動に伴って、前記発電手段に対して外力を伝達するための操作手段と、
を備えた発電装置。
【請求項２】
前記操作手段の少なくとも一部を、前記電子機器を前記保護手段を介して支持面上に支持するための支持手段として形成した、
請求項１に記載の発電装置。
【請求項３】
前記電子機器が、前記支持手段によって前記保護手段を介して前記支持面上に立設される場合において、前記支持手段における前記支持面との当接部分が、前記操作手段における外力を伝達するための移動方向とは異なる方向であって、前記支持面と当接する方向に向けて移動可能となるように、当該支持手段を所定の旋回軸を中心に旋回自在とした、
請求項２に記載の発電装置。
【請求項４】
前記操作手段は、
ユーザが当該操作手段を把持するための把持部と、
ユーザによって外力が前記把持部に対して加えられた場合に、前記把持部の移動に伴って前記発電手段と当接しながら移動することにより、当該発電手段に対して外力を伝達する伝達部と、を備えた、
請求項１から３のいずれか一項に記載の発電装置。
【請求項５】
前記電子機器は、携帯電話である、
請求項１から４のいずれか一項に記載の発電装置。
【発明の詳細な説明】
【技術分野】
【０００１】
本発明は、発電装置に関する。
【背景技術】
【０００２】
従来から、携帯電話に対して電力を供給するために、ユーザが所定操作を行うことにより得られる運動エネルギーを利用して発電を行う発電装置が提案されている。例えば、携帯電話と一体に設けられた発電装置としては、携帯電話の筐体に回転可能に支持された動作子をユーザが回転させることにより、当該筐体に内蔵された発電機構を駆動させることで発電を行う携帯電話が開示されている（例えば、特許文献１参照）。また、携帯電話と別体に設けられた発電装置としては、ユーザの撓み操作によって、圧電セラミックが装着された起電体の如き発電装置を変形させて発電を行い、携帯電話の給電プラグを介して発電した電力を供給する発電装置が開示されている（例えば、特許文献２参照）。
【先行技術文献】
【特許文献】
【０００３】
【特許文献１】特開２００５−３４７９００号公報
【特許文献２】特開２００５−２７７５０８号公報
【発明の概要】
【発明が解決しようとする課題】
【０００４】
しかしながら、上記特許文献１に記載の携帯電話は、公知の携帯電話の部品に加えて、上記動作子や発電機構等を備えて構成されているので、単に公知の携帯電話の部品を備えた携帯電話の仕様から大幅な仕様変更を行う必要があった。また、上記特許文献２に記載の発電装置は、例えば、発電の際には、携帯電話に取り付けられたダミーソケットから発電装置を取り外して、給電プラグに接続しなければならず、発電装置の取り外しに手間を要していた。
【０００５】
本発明は、上記に鑑みてなされたものであって、携帯電話の如き電子機器の仕様を維持しながら、電子機器から発電装置を取り外す手間を省くことが可能となる、発電装置を提供することを目的とする。
【課題を解決するための手段】
【０００６】
上述した課題を解決し、目的を達成するために、請求項１に記載の発電装置は、電子機器に対して着脱自在に取り付けられる保護手段であって、前記電子機器の少なくとも一部の側面を覆うことにより、当該電子機器を保護する保護手段と、前記保護手段の内部に少なくとも一部が収容された発電手段であって、当該発電手段が外力によって駆動されることにより発電を行う発電手段と、前記保護手段の内側から外側に向けて少なくとも一部が移動可能となるように、前記保護手段に取り付けられた操作手段であって、当該操作手段に外力が加えられた場合に、当該操作手段の移動に伴って、前記発電手段に対して外力を伝達するための操作手段と、を備えている。
【０００７】
また、請求項２に記載の発電装置は、請求項１に記載の発電装置において、前記操作手段の少なくとも一部を、前記電子機器を前記保護手段を介して支持面上に支持するための支持手段として形成している。
【０００８】
また、請求項３に記載の発電装置は、請求項２に記載の発電装置において、前記電子機器が、前記支持手段によって前記保護手段を介して前記支持面上に立設される場合において、前記支持手段における前記支持面との当接部分が、前記操作手段における外力を伝達するための移動方向とは異なる方向であって、前記支持面と当接する方向に向けて移動可能となるように、当該支持手段を所定の旋回軸を中心に旋回自在としている。
【０００９】
また、請求項４に記載の発電装置は、請求項１から３のいずれか一項に記載の発電装置において、前記操作手段は、ユーザが当該操作手段を把持するための把持部と、ユーザによって外力が前記把持部に対して加えられた場合に、前記把持部の移動に伴って前記発電手段と当接しながら移動することにより、当該発電手段に対して外力を伝達する伝達部と、を備えている。
【００１０】
また、請求項５に記載の発電装置は、請求項１から４のいずれか一項に記載の発電装置において、前記電子機器は、携帯電話である。
【発明の効果】
【００１１】
請求項１に記載の発電装置によれば、電子機器の少なくとも一部の側面を覆うことにより、当該電子機器を保護する保護手段を備えているので、例えば、電子機器の正面が露出された状態で、保護手段が電子機器に取り付けられている場合には、電子機器から発電装置を取り外すことなく、電子機器及び発電装置を使用することができ、電子機器から発電装置を取り外す手間を省くことが可能となる。また、発電手段を保護手段の内部に収容し、操作手段を保護手段に取り付けているので、発電を行うための部品の全部又は一部を電子機器に組み込む必要がなくなり、電子機器自体の仕様を維持することができる。
【００１２】
また、請求項２に記載の発電装置によれば、操作手段の少なくとも一部を、電子機器を保護手段を介して支持面上に支持するための支持手段として形成しているので、保護手段を支持するための特殊な部品を新たに追加することなく、電子機器を支持面上に立設させることができる。
【００１３】
また、請求項３に記載の発電装置によれば、電子機器が、支持手段によって保護手段を介して支持面上に立設される場合において、支持手段における支持面との当接部分が、操作手段における外力を伝達するための移動方向とは異なる方向であって、支持面と当接する方向に向けて移動可能となるように、当該支持手段を所定の旋回軸を中心に旋回自在としたので、操作手段の発電時の操作と、操作手段の設置時の操作とを択一的に行うことができ、操作性を向上させることができる。
【００１４】
また、請求項４に記載の発電装置によれば、操作手段は、ユーザが当該操作手段を把持するための把持部と、ユーザによって外力が把持部に対して加えられた場合に、把持部の移動に伴って発電手段と当接しながら移動することにより、当該発電手段に対して外力を伝達する伝達部と、を備えているので、操作手段を簡易に構成することができ、製造性を向上させることができる。
【００１５】
また、請求項５に記載の発電装置によれば、電子機器は、携帯電話であるので、携帯電話から発電装置を取り外す手間を省くことが可能となる。また、発電を行うための部品の全部又は一部を携帯電話に組み込む必要がないので、携帯電話自体の仕様を維持することができる。
【図面の簡単な説明】
【００１６】
【図１】支持面上に立設された状態の携帯電話に取り付けられた実施の形態１に係る発電装置を示す斜視図である。
【図２】支持面上に立設された発電装置を示す斜視図である。
【図３】発電装置を示す図であり、（ａ）は正面図、（ｂ）は背面図、（ｃ）は右側面図である。
【図４】発電装置を正面側から見た内部構造を示す図である（後述する保護ケースの正面壁を省略）。
【図５】発電装置の発電機能の概要を示す背面図であり、（ａ）は操作レバーの操作前の状態を示す図であり、（ｂ）は操作レバーの操作後の状態を示す図である。
【図６】発電装置の設置機能の概要を示す図であり、（ａ）は操作レバーの操作後の状態を示す背面図であり、（ｂ）は操作レバーの操作後の状態を示す右側面図である。
【図７】実施の形態２に係る発電装置を示す図であり、（ａ）は背面図、（ｂ）は右側面図である。
【図８】正面側から見た操作レバーの操作状態を示す図であり、（ａ）は発電時の状態を示す図であり、（ｂ）は設置時の状態を示す図である。
【図９】発電装置の設置機能の概要を示す図であり、（ａ）は操作レバーの操作後の状態を示す背面図であり、（ｂ）は操作レバーの操作後の状態を示す右側面図である。
【図１０】実施の形態３に係る発電装置を示す図であり、（ａ）は背面図、（ｂ）は右側面図である。
【図１１】正面側から見た操作レバーの操作状態を示す図であり、（ａ）は発電時の状態を示す図であり、（ｂ）は設置時の状態を示す図である。
【図１２】発電装置の設置機能の概要を示す図であり、（ａ）は操作レバーの操作後の状態を示す背面図であり、（ｂ）は操作レバーの操作後の状態を示す右側面図であり、（ｃ）は操作レバーの操作後の状態であって、（ｂ）とは支持部の向きが異なる状態を示す右側面図である。
【図１３】支持面上に立設された状態の携帯電話に取り付けられた実施の形態４に係る発電装置を示す斜視図である。
【図１４】発電装置を示す図であり、（ａ）は背面図、（ｂ）は底面図である。
【図１５】図１４（ａ）のＡ−Ａ矢視図（一部破断）である。
【図１６】発電装置の発電機能の概要を示す底面図であり、（ａ）は操作レバーの操作前の状態を示す図であり、（ｂ）は操作レバーの操作後の状態を示す図である。
【図１７】発電装置の設置機能の概要を示す図であり、（ａ）は操作レバーの操作後の状態を示す背面図であり、（ｂ）は操作レバーの操作後の状態を示す平面図である。
【発明を実施するための形態】
【００１７】
以下に添付図面を参照して、この発明に係る発電装置の実施の形態を詳細に説明する。ただし、これらの実施の形態によって本発明が限定されるものではない。
【００１８】
〔実施の形態１〕
最初に、実施の形態１について説明する。この形態は、操作手段の把持部の一部を支持手段として形成した形態であって、当該支持手段を把持部又は伝達部とは別体である形態である。
【００１９】
（構成）
実施の形態１に係る発電装置の適用対象は、電子機器を保護する保護ケースに適用した場合を例として説明を行う。ここで、この電子機器は、以下ではスマートフォンの如き携帯電話として説明するが、これに限られず、例えばタブレット型携帯端末、デジタルカメラ、あるいは、携帯型音楽プレーヤ等であってもよい。
【００２０】
まず、実施の形態１に係る発電装置の構成について説明する。図１は、支持面上に立設された状態の携帯電話に取り付けられた実施の形態１に係る発電装置を示す斜視図である。図２は、支持面上に立設された発電装置を示す斜視図である。図３は、発電装置を示す図であり、（ａ）は正面図、（ｂ）は背面図、（ｃ）は右側面図である。図４は、発電装置を正面側から見た内部構造を示す図である（後述する保護ケース１０の正面壁１１を省略）。なお、以下の説明では、図１のＸ方向を発電装置の横方向、図１のＹ方向を発電装置の縦方向、図１のＺ方向を発電装置の高さ方向とする。また、図３では、図の簡略化のために、後述する発電部２０の図示を省略する（後述する図５〜７、９、１０、１４、１６、１７についても同様とする）と共に、携帯電話を想像線で示す（後述する図５〜７、９、１０、１４〜１７についても同様とする）。これら各図に示すように、発電装置１は、保護ケース１０と、発電部２０と、操作レバー３０ａ、３０ｂとを備えている。
【００２１】
（構成−保護ケース）
保護ケース１０は、携帯電話Ｔを保護する保護手段である。具体的には、図２、３に示すように、保護ケース１０は、略箱状体であり、例えば可撓性を有するプラスチック等の樹脂材にて形成されている。また、この保護ケース１０は、正面壁１１と、背面壁１２と、上面壁１３と、下面壁１４と、左面壁１５と、右面壁１６とを備えている。ここで、この保護ケース１０の形成方法は任意であるが、例えば、図３に示すように、背面壁１２と、上面壁１３と、下面壁１４と、左面壁１５と、右面壁１６とは一体成型により形成されており、正面壁１１は、これら一体成型されたものから着脱自在に形成される方法が該当する（後述する保護ケース３１０についても同様とする）。また、これら正面壁１１、上面壁１３、下面壁１４、左面壁１５、及び右面壁１６の各々が、対応する保護ケース１０の側面の一部を覆えるように、この正面壁１１は、これら上面壁１３、下面壁１４、左面壁１５、及び右面壁１６に取り囲まれるように取り付けられている（後述する正面壁３１１についても同様とする）。
【００２２】
また、保護ケース１０には、切欠部１０ａ、１０ｂ、１０ｃが設けられている。切欠部１０ａは、保護ケース１０からの操作レバー３０ａの出し入れを容易にするためのものであり、具体的には、図３（ａ）、（ｃ）に示すように、保護ケース１０における操作レバー３０ａに対応する位置に配置されている（より具体的には、背面壁１２、下面壁１４、及び左面壁１５にわたって配置されている）。切欠部１０ｂは、保護ケース１０からの操作レバー３０ｂの出し入れを容易にするためのものであり、具体的には、図３（ａ）〜（ｃ）に示すように、保護ケース１０における操作レバー３０ｂに対応する位置に配置されている（より具体的には、背面壁１２、下面壁１４、及び右面壁１６にわたって配置されている）。切欠部１０ｃは、携帯電話Ｔが発電装置１に取り付けられた状態で、携帯電話Ｔのカメラの撮影を可能にするためのものであり、具体的には、図３（ａ）、（ｃ）に示すように、保護ケース１０における携帯電話Ｔのカメラに対応する位置に配置されている（より具体的には、背面壁１２、上面壁１３、及び右面壁１６にわたって配置されている）。
【００２３】
このような構成により、携帯電話Ｔの正面が露出された状態で（すなわち、携帯電話Ｔの画面部分が露出された状態で）、保護ケース１０を携帯電話Ｔに取り付けることができるので、発電装置１を携帯電話Ｔから取り外すことなく、携帯電話Ｔ及び発電装置１を使用することができる。また、保護ケース１０を携帯電話Ｔに取り付ける場合には、携帯電話Ｔを保護ケース１０に嵌め込むようにして取り付けることができると共に、保護ケース１０を携帯電話Ｔから取り外す場合には、保護ケース１０を撓ませることにより取り外すことができるので、携帯電話Ｔを発電装置１から容易に着脱することができる。
【００２４】
（構成−発電部）
発電部２０は、外力によって駆動されることにより発電を行う発電手段である。具体的には、図４に示すように、発電部２０は、保護ケース１０の内部に収容されており、第１のギア系統２１と、第２のギア系統２２と、ダイナモ２３と、発電基板２４とを備えている。
【００２５】
（構成−発電部−第１のギア系統）
第１のギア系統２１は、操作レバー３０ａを介して伝達された外力をダイナモ２３に伝達するための系統である。具体的には、図４に示すように、第１のギア系統２１は、保護ケース１０の背面壁１２に対して支持されており、第１のギア２１ａ、第１のギア２１ｂと、第１のラチェットギア２１ｃと、第１のギア２１ｄと、第１のギア２１ｅとを備えて構成されている。そして、後述する操作レバー３０ａの伝達部３２（具体的には、後述する伝達部３２の歯部分）が第１のギア２１ａと当接しながら移動することに伴って、上述した各種ギアは回転される（第２のギア系統についても同様とする）。この場合において、ダイナモ２３の回転子（図示省略）が発電可能な回転方向のみに回転されるように、第１のギア２１ｄ、及び第１のギア２１ｅは、第１のラチェットギア２１ｃによって、一方向の回転（例えば右回りの回転等）のみに制限される（後述する第２のギア２２ｄ、及び第２のギア２２ｅについても同様とする）。
【００２６】
（構成−発電部−第２のギア系統）
第２のギア系統２２は、操作レバー３０ｂを介して伝達された外力をダイナモ２３に伝達するための系統である。具体的には、図４に示すように、第２のギア系統２２は、保護ケース１０の背面壁１２に対して支持されており、第２のギア２２ａと、第２のギア２２ｂと、第２のラチェットギア２２ｃと、第２のギア２２ｄと、第２のギア２２ｅとを備えて構成されている。ここで、第２のギア２２ｅの配置については、具体的には、図４に示すように、第２のギア系統２２に伝達された外力が第１のギア系統２１を介してダイナモ２３に伝達されるように、第１のギア２１ｄを回転させられる位置に配置されている。
【００２７】
（構成−発電部−ダイナモ）
ダイナモ２３は、第１のギア２１ｅから伝達された外力によって駆動されることにより発電を行うものである。具体的には、図４に示すように、ダイナモ２３は、例えば公知のダイナモ等で構成されており、第１のギア２１ｅの近傍に配置され、保護ケース１０の背面壁１２に対して固定具等にて接続されている。
【００２８】
（構成−発電部−発電基板）
発電基板２４は、発電装置１の各種機能を実現するための電気回路（図示省略）が実装された基板である。具体的には、図４に示すように、発電基板２４は、ダイナモ２３の近傍に配置されており、保護ケース１０の背面壁１２に対して固定具等にて接続されている。また、この発電基板２４には、電力変換部（図示省略）や電力出力部（図示省略）も実装されている。ここで、電力変換部は、ダイナモ２３にて発電された電力を所定の電力に変換する電力変換手段であり、具体的にはダイナモ２３と図示しない配線を介して電気的に接続されている。また、電力出力部は、電力変換部にて変換された電力を携帯電話Ｔに出力するための電力出力手段であり、具体的には携帯電話Ｔと図示しない配線を介して電気的に接続されている。
【００２９】
（構成−操作レバー）
操作レバー３０ａ、３０ｂは、発電部２０に対して外力を伝達するための操作手段である。具体的には、図１〜図４に示すように、操作レバー３０ａ、３０ｂは、例えばプラスチック等の樹脂材にて形成されており、保護ケース１０のＸ方向の両端部近傍に配置されている。また、これら操作レバー３０ａ、３０ｂの各々は、把持部３１と、伝達部３２と、支持部３３とを備えている。
【００３０】
（構成−操作レバー−把持部）
把持部３１は、ユーザが操作レバー３０ａ（又は操作レバー３０ｂ）を把持するためのものである。具体的には、図３（ａ）〜（ｃ）、図４に示すように、把持部３１は、保護ケース１０におけるＸ方向の内側から外側に向けて膨らんだ略弓状に形成されており、保護ケース１０の背面壁１２においてＹ方向に略沿うように設けられた第１の旋回軸４１（例えば回転ピン等。なお、後述する第２の旋回軸４２、後述する第３の旋回軸２４４、後述する第４の旋回軸３４６についても同様とする。）を中心に旋回自在に軸支されている。
【００３１】
（構成−操作レバー−伝達部）
伝達部３２は、発電部２０に対して外力を伝達するためのものである。具体的には、図３（ａ）〜（ｃ）、図４に示すように、伝達部３２は、略円弧状に形成されており、当該伝達部３２の発電部２０側の側面が発電部２０の一部と当接するように配置されている（より具体的には、操作レバー３０ａの伝達部３２の場合には第１のギア２１ａと当接するように配置され、操作レバー３０ｂの伝達部３２の場合には第２のギア２２ａと当接するように配置される）。そして、この伝達部３２は、把持部３１に対して一体成型されている。
【００３２】
また、この伝達部３２の構成については、具体的には、図４に示すように、第１のギア２１ａの歯（又は第２のギア２２ａの歯）と噛み合うように、当該伝達部３２の第１のギア２１ａ（又は第２のギア２２ａ）側の側面の一部が略歯状に形成されている（以下、この部分を、「伝達部の歯部分」と称する）。また、伝達部３２には、切欠部３２ａが設けられている。切欠部３２ａは、操作レバー３０ａ、３０ｂの伝達部３２同士の接触を回避するための接触回避手段であり、具体的には、図４に示すように、伝達部３２の把持部３１側の端部とは反対側の端部に配置されている。
【００３３】
（構成−操作レバー−支持部）
支持部３３は、携帯電話Ｔを保護ケース１０を介して支持面Ｗ上に支持するための支持手段である。ここで、「携帯電話を保護ケースを介して支持面上に支持する」とは、携帯電話Ｔを所定の姿勢に保持可能な状態で、保護ケース１０を介して支持面Ｗ上に固定することを意味し、例えば、携帯電話Ｔが支持部３３によって保護ケース１０を介して水平な支持面Ｗ上（例えば、机面上やテーブル面上等）に立設されること、及び携帯電話Ｔが支持部３３によって保護ケース１０を介して垂直な支持面Ｗ上（例えば、建物の壁面上等）に取り付けられること等を含む概念である（なお、実施の形態１では、前者についての説明を行う）。具体的には、図２、図３（ａ）〜（ｃ）に示すように、支持部３３は、略細長状に形成されており、把持部３１の携帯電話Ｔ側とは反対側の側面上に配置されている。また、この支持部３３の接続については、例えば、操作レバー３０ａ、３０ｂにおける発電時の操作と、操作レバー３０ａ、３０ｂにおける設置時の操作とを択一的に行えるように接続されている。具体的には、図３（ａ）〜（ｃ）、図４に示すように、支持部３３が、把持部３１における支持部３３以外の部分においてＸ方向に略沿うように設けられた第２の旋回軸４２を中心に旋回自在となるように、当該支持部３３は当該第２の旋回軸４２によって軸支されている。なお、この第２の旋回軸４２は、特許請求の範囲における「所定の旋回軸」に対応する。
【００３４】
（発電装置の機能）
このように構成された発電装置１の機能について説明する。図５は、発電装置１の発電機能の概要を示す背面図であり、（ａ）は操作レバー３０ａ、３０ｂの操作前の状態を示す図であり、（ｂ）は操作レバー３０ａ、３０ｂの操作後の状態を示す図である。図６は、発電装置１の設置機能の概要を示す図であり、（ａ）は操作レバー３０ａ、３０ｂの操作後の状態を示す背面図であり、（ｂ）は操作レバー３０ａ、３０ｂの操作後の状態を示す右側面図である。この発電装置１の機能としては、図５（ａ）、（ｂ）に示すように、操作レバー３０ａ、３０ｂの把持部３１の旋回移動により、発電装置１の発電を行う発電機能と、図６（ａ）、（ｂ）に示すように、操作レバー３０ａ、３０ｂの支持部３３の旋回移動により、携帯電話Ｔを支持面Ｗ上に立設させる設置機能との２つの機能に区分けされる。
【００３５】
（発電装置の機能−発電機能）
最初に、発電装置１の発電機能について説明する。なお、この説明では、発電装置１は、ユーザによって保護ケース１０の正面壁１１（又は背面壁１２）の長手方向がＺ方向に略沿うように所持された状態で、操作されるものとする。
【００３６】
図５（ａ）、（ｂ）に示すように、ユーザによって操作レバー３０ａが保護ケース１０のＸ方向の内側から当該Ｘ方向の外側に向けて操作されると（具体的には、ユーザによって操作レバー３０ａの把持部３１に外力が加えられると）、操作レバー３０ａの伝達部３２が第１のギア２１ａと当接しながら第１の旋回軸４１を中心に旋回移動することにより、その外力は第１のギア２１ａに伝達される。これと同様に、ユーザによって操作レバー３０ｂが保護ケース１０のＸ方向の内側から当該Ｘ方向の外側に向けて操作されると、操作レバー３０ｂの伝達部３２が第２のギア２２ａと当接しながら第１の旋回軸４１を中心に旋回移動することにより、その外力は第２のギア２２ａに伝達される。
【００３７】
次に、第１のギア２１ａに伝達された外力は、当該第１のギア２１ａの回転に伴って、第１のギア系統２１における第１のギア２１ａ以外の各種ギアを回転させることにより、当該各種ギアに順次伝達される。同様に、この第２のギア２２ａに伝達された外力も、当該第２のギア２２ａの回転に伴って、第２のギア系統２２における第２のギア２２ａ以外の各種ギアを回転させることにより、当該各種ギアに順次伝達される。
【００３８】
続いて、第１のギア２１ｅに伝達された外力は、当該第１のギア２１ｅの回転によって、ダイナモ２３に伝達される。これにより、ダイナモ２３に伝達された外力によってダイナモ２３を駆動することにより、発電を行うことが可能となる。また、携帯電話Ｔが発電装置１に取り付けられた状態においては、このダイナモ２３によって発電された電力を、発電基板２４を介して携帯電話Ｔに供給することができる。
【００３９】
（発電装置の機能−設置機能）
次に、発電装置１の設置機能について説明する。まず、操作レバー３０ａ、３０ｂの支持部３３が対応する把持部３１に当接された状態で、携帯電話Ｔが倒れないように保護ケース１０をユーザの手で支持しながら、保護ケース１０の下面壁１４を支持面Ｗに当接させる。次に、操作レバー３０ａ、３０ｂの支持部３３を対応する第２の旋回軸４２を中心に旋回させることにより、操作レバー３０ａ、３０ｂの支持部３３における支持面Ｗとの当接部分（具体的には、支持部３３における第２の旋回軸４２側の端部とは反対側の端部）を、支持面Ｗと当接する方向に向けて移動させる。そして、これら操作レバー３０ａ、３０ｂの支持部３３の旋回移動により、当該支持部３３における支持面Ｗとの当接部分を支持面Ｗに当接させる。これにより、図６（ａ）、（ｂ）に示すように、携帯電話Ｔを保護ケース１０を介して支持面Ｗに対して立設することが可能となる（より具体的には、携帯電話Ｔは、支持面Ｗに対して斜めに立設されることになる）。また、携帯電話Ｔの立設状態においては、操作レバー３０ａ、３０ｂの支持部３３のみが保護ケース１０の外側に張り出されるので、この立設用のスペースをコンパクトにすることができる。
【００４０】
（効果）
このように実施の形態１によれば、携帯電話Ｔの一部の側面を覆うことにより、当該携帯電話Ｔを保護する保護ケース１０を備えているので、例えば、携帯電話Ｔの正面が露出された状態で、保護ケース１０が携帯電話Ｔに取り付けられている場合には、発電装置１を携帯電話Ｔから取り外すことなく、携帯電話Ｔ及び発電装置１を使用することができ、携帯電話Ｔから発電装置１を取り外す手間を省くことが可能となる。また、発電部２０を保護ケース１０の内部に収容し、操作レバー３０ａ、３０ｂを保護ケース１０に取り付けたので、発電を行うための部品の全部又は一部を携帯電話Ｔに組み込む必要がなくなり、携帯電話Ｔ自体の仕様を維持することができる。
【００４１】
また、操作レバー３０ａ、３０ｂの一部を、携帯電話Ｔを保護ケース１０を介して支持面Ｗ上に支持するための支持部３３として形成したので、保護ケース１０を支持するための特殊な部品を新たに追加することなく、携帯電話Ｔを支持面Ｗ上に立設させることができる。
【００４２】
また、支持部３３における支持面Ｗとの当接部分が、操作レバー３０ａ、３０ｂにおける外力を伝達するための移動方向とは異なる方向であって、支持面Ｗと当接する方向に向けて移動可能となるように、当該支持部３３を第２の旋回軸４２を中心に旋回自在としたので、操作レバー３０ａ、３０ｂの発電時の操作と、操作レバー３０ａ、３０ｂの設置時の操作とを択一的に行うことができ、操作性を向上させることができる。
【００４３】
操作レバー３０ａ、３０ｂの各々は、ユーザが当該操作レバー３０ａ、３０ｂを把持するための把持部３１と、ユーザによって外力が把持部３１に対して加えられた場合に、把持部３１の移動に伴って第１のギア２１ａ（又は第２のギア２２ａ）と当接しながら旋回移動することにより、発電部２０に対して外力を伝達する伝達部３２と、を備えているので、操作レバー３０ａ、３０ｂを簡易に構成することができ、製造性を向上させることができる。
【００４４】
〔実施の形態２〕
次に、実施の形態２について説明する。この形態は、操作手段の把持部全体を支持手段として形成した形態である。なお、特に説明なき構造については、実施の形態１の構造と同様であり、実施の形態１と略同様の構成要素、及び取り付け方法については、必要に応じて、実施の形態１で用いたのと同一の符号又は名称を付してその説明を省略する。
【００４５】
（構成）
まず、発電装置の構成について説明する。図７は、実施の形態２に係る発電装置を示す図であり、（ａ）は背面図、（ｂ）は右側面図である。図８は、正面側から見た操作レバー３０ａの操作状態を示す図であり、（ａ）は発電時の状態を示す図であり、（ｂ）は設置時の状態を示す図である。図７（ａ）、（ｂ）に示すように、実施の形態２に係る発電装置１０１は、実施の形態１に係る発電装置１とほぼ同様に構成されている。ただし、操作レバー３０ａ、３０ｂの把持部３１全体が支持部１３３として形成されており、下記に示す工夫が施されている。
【００４６】
（構成−操作レバー−支持部）
支持部１３３は、具体的には、図７（ａ）、（ｂ）に示すように、保護ケース１０の正面壁１１に設けられたボールジョイント機構１４３の球受け部１４３ａを中心に旋回自在に軸支されている。
【００４７】
ここで、この球受け部１４３ａは、具体的には、図８（ａ）、（ｂ）に示すように、保護ケース１０の背面壁１２に対してＸＺ平面内で回転自在に固定されていると共に、支持部１３３の球受け部１４３ａ側の端部に設けられたボールジョイント機構１４３の球部１４３ｂと接続されている（より具体的には、球受け部１４３ａの背面壁１２側とは反対側の端部の内径が球部１４３ｂの外径よりも小さく形成されており、この球受け部１４３ａは、当該端部が球部１４３ｂの一部を覆うように、球部１４３ｂを収容している）。なお、後述する球部２４５ｂについても同様とする）。また、この球受け部１４３ａの側部には、切欠部１４３ｃが設けられている。切欠部１４３ｃは、支持部１３３を球受け部１４３ａを中心にＹＺ平面内で旋回可能にするためのものである。この切欠部１４３ｃの形状については、具体的には、図８（ａ）、（ｂ）に示すように、この球部１４３ｂを貫通させないものの、支持部１３３における球部１４３ｂよりも幅が小さい球部近傍部分１４３ｄを貫通させる大きさにて形成されている。なお、この球受け部１４３ａは、特許請求の範囲における「所定の旋回軸」に対応する。
【００４８】
このような構成により、図８（ａ）に示すように、操作レバー３０ａ、３０ｂの発電時の操作において、支持部１３３の球部近傍部分１４３ｄを球受け部１４３ａに当接させながら、支持部１３３を球受け部１４３ａを中心にＸＺ平面内で旋回させることができる。また、図８（ｂ）に示すように、操作レバー３０ａ、３０ｂの設置時の操作において、支持部１３３における支持面Ｗとの当接部分（具体的には、支持部１３３における球受け部１４３ａ側とは反対側の端部）が、支持面Ｗと当接する方向に向けて移動可能となるように、支持部１３３を球受け部１４３ａを中心にＹＺ平面内で旋回させることができる。そしてさらに、支持部１３３をＸＺ平面内及びＹＺ平面内で旋回させる機能を、球受け部１４３ａに集約することができる。
【００４９】
（発電装置の機能）
このように構成された発電装置１０１の機能について説明する。ここで、発電装置１０１の発電機能については、上述した実施の形態１と同様であるため、その処理の説明を省略する。また、発電装置１０１の設置機能についても、上述した実施の形態１と異なる部分についてのみ、その処理を説明する。
【００５０】
（発電装置の機能−発電装置の設置機能）
図９は、発電装置１０１の設置機能の概要を示す図であり、（ａ）は操作レバー３０ａ、３０ｂの操作後の状態を示す背面図であり、（ｂ）は操作レバー３０ａ、３０ｂの操作後の状態を示す右側面図である。図９（ａ）、（ｂ）に示すように、操作レバー３０ａ、３０ｂの支持部１３３が保護ケース１０の背面壁１２に当接された状態で、携帯電話Ｔが倒れないように保護ケース１０をユーザの手で支持しながら、保護ケース１０の下面壁１４を支持面Ｗに当接させる。次に、操作レバー３０ａ、３０ｂの支持部１３３を対応する球受け部１４３ａを中心にＹＺ平面内で旋回させることにより、操作レバー３０ａ、３０ｂの支持部１３３における支持面Ｗとの当接部分を、支持面Ｗと当接する方向に向けて移動させる。そして、これら操作レバー３０ａ、３０ｂの支持部１３３の旋回移動により、当該支持部１３３における支持面Ｗとの当接部分を支持面Ｗに当接させる。これにより、球受け部１４３ａの位置が実施の形態１の第２の旋回軸４２に比べて支持面Ｗ上から離れているので、携帯電話Ｔを安定して支持することができる。
【００５１】
（効果）
このように実施の形態２によれば、操作レバー３０ａ、３０ｂの把持部３１全体を支持部１３３として形成したので、保護ケース１０を支持するための特殊な部品を新たに追加することなく、携帯電話Ｔを支持面Ｗ上に立設させることができる。また、支持部１３３をＸＺ平面内及びＹＺ平面内で旋回させる機能を、球受け部１４３ａに集約することができ、操作レバー３０ａ、３０ｂの構造を簡易にすることができる。
【００５２】
〔実施の形態３〕
次に、実施の形態３について説明する。この形態は、操作手段の把持部の一部を支持手段として形成した形態である。なお、特に説明なき構造については、実施の形態１の構造と同様であり、実施の形態１と略同様の構成要素、及び取り付け方法については、必要に応じて、実施の形態１で用いたのと同一の符号又は名称を付してその説明を省略する。
【００５３】
（構成）
まず、発電装置の構成について説明する。図１０は、実施の形態３に係る発電装置を示す図であり、（ａ）は背面図、（ｂ）は右側面図である。図１１は、正面側から見た操作レバー３０ａの操作状態を示す図であり、（ａ）は発電時の状態を示す図であり、（ｂ）は設置時の状態を示す図である。図１０（ａ）、（ｂ）に示すように、実施の形態３に係る発電装置２０１は、実施の形態１に係る発電装置１とほぼ同様に構成されている。ただし、操作レバー３０ａ、３０ｂの把持部２３１の構成内容について、下記に示す工夫が施されている。
【００５４】
（構成−操作レバー−把持部）
把持部２３１は、具体的には、図１０（ａ）、（ｂ）に示すように、上側部分２３１ａと下側部分２３１ｂとの２つに区分けされる。
【００５５】
上側部分２３１ａは、具体的には、保護ケース１０の背面壁１２においてＹ方向に略沿うように設けられた第３の旋回軸２４４を中心に旋回自在に軸支されている。また、この上側部分２３１ａの旋回移動に伴って伝達部３２が移動可能となるように、この上側部分２３１ａは伝達部３２と接続されている。
【００５６】
下側部分２３１ｂ全体は、具体的には、支持部２３３として形成されている。この支持部２３３は、上側部分２３１ａの下側部分２３１ｂ側の端部に設けられたボールジョイント機構２４５の球受け部２４５ａを中心に旋回自在に軸支されている。ここで、この球受け部２４５ａは、具体的には、図１１（ａ）、（ｂ）に示すように、支持部２３３の球受け部２４５ａ側の端部に設けられたボールジョイント機構２４５の球部２４５ｂと接続されている。また、この球受け部２４５ａの下端部には、切欠部２４５ｃが設けられている。切欠部２４５ｃは、支持部２３３を球受け部２４５ａを中心にＹＺ平面内で旋回可能にするためのものである。この切欠部２４５ｃの形状については、具体的には、図１１（ａ）、（ｂ）に示すように、球部２４５ｂを貫通させないものの、支持部２３３における球部２４５ｂよりも幅が小さい球部近傍部分２４５ｄを貫通させる大きさにて形成されている。なお、この球受け部２４５ａは、特許請求の範囲における「所定の旋回軸」に対応する。
【００５７】
このような構成により、図１１（ａ）に示すように、操作レバー３０ａ、３０ｂの発電時の操作において、支持部２３３の球部近傍部分２４５ｄを球受け部２４５ａに当接させながら、把持部２３１を第３の旋回軸２４４を中心にＸＺ平面内で旋回させることができる。また、図１１（ｂ）に示すように、操作レバー３０ａ、３０ｂの設置時の操作において、支持部２３３における支持面Ｗとの当接部分（具体的には、支持部２３３における球部近傍部分２４５ｄ側とは反対側の端部）が、支持面Ｗと当接する方向に向けて移動可能となるように、支持部２３３を球部近傍部分２４５ｄを中心にＹＺ平面内で旋回させることができる。
【００５８】
（発電装置の機能）
このように構成された発電装置２０１の機能について説明する。ここで、発電装置２０１の発電機能については、上述した実施の形態１と同様であるため、その処理の説明を省略する。また、発電装置２０１の設置機能についても、上述した実施の形態１と異なる部分についてのみ、その処理を説明する。
【００５９】
（発電装置の機能−発電装置の設置機能）
図１２は、発電装置２０１の設置機能の概要を示す図であり、（ａ）は操作レバー３０ａ、３０ｂの操作後の状態を示す背面図であり、（ｂ）は操作レバー３０ａ、３０ｂの操作後の状態を示す右側面図であり、（ｃ）は操作レバー３０ａ、３０ｂの操作後の状態であって、（ｂ）とは支持部２３３の向きが異なる状態を示す右側面図である。図１２（ａ）〜（ｃ）に示すように、操作レバー３０ａ、３０ｂの支持部２３３が保護ケース１０の背面壁１２に当接された状態で、携帯電話Ｔが倒れないように保護ケース１０をユーザの手で支持しながら、保護ケース１０の下面壁１４を支持面Ｗに当接させる。次に、操作レバー３０ａ、３０ｂの支持部２３３を対応する球部近傍部分２４５ｄを中心にＹＺ平面内で旋回させることにより、操作レバー３０ａ、３０ｂの支持部２３３における支持面Ｗとの当接部分を、支持面Ｗと当接する方向に向けて移動させる。そして、これら操作レバー３０ａ、３０ｂの支持部２３３の旋回移動により、当該支持部２３３における支持面Ｗとの当接部分を支持面Ｗに当接させる。これにより、球部近傍部分２４５ｄの位置が実施の形態１の第２の旋回軸４２に比べて支持面Ｗ上から離れているので、携帯電話Ｔを安定して支持することができる。また、操作レバー３０ａ、３０ｂの支持部２３３を球部近傍部分２４５ｄを中心にＹＺ平面内で旋回させることにより、操作レバー３０ａ、３０ｂの支持部２３３の向きを変えることができる。これにより、例えば、操作レバー３０ａ、３０ｂの支持部２３３の向きが変わると、当該支持部２３３の支持面Ｗ上に対する角度が異なる場合には、図１２（ｂ）、（ｃ）に示すように、携帯電話Ｔを支持面Ｗ上に対して異なる傾きで立設させることができる。
【００６０】
（効果）
このように実施の形態３によれば、操作レバー３０ａ、３０ｂの把持部２３１の下側部分２３１ｂ全体を、支持部２３３として形成したので、保護ケース１０を支持するための特殊な部品を新たに追加することなく、携帯電話Ｔを支持面Ｗ上に立設させることができる。また、例えば、操作レバー３０ａ、３０ｂの支持部２３３の向きが変わると、当該支持部２３３の支持面Ｗ上に対する角度が異なる場合には、携帯電話Ｔを支持面Ｗ上に対して異なる傾きで立設させることができ、状況に応じた発電装置２０１の設置を行うことができる。
【００６１】
〔実施の形態４〕
次に、実施の形態４について説明する。この形態は、操作手段の把持部全体を支持手段として形成した形態であって、当該支持手段を、操作手段の伝達部に設けられた所定の旋回軸を中心に旋回自在とした形態である。なお、特に説明なき構造については、実施の形態１の構造と同様であり、実施の形態１と略同様の構成要素、及び取り付け方法については、必要に応じて、実施の形態１で用いたのと同一の符号又は名称を付してその説明を省略する。
【００６２】
（構成）
まず、発電装置の構成について説明する。図１３は、支持面Ｗ上に立設された状態の携帯電話Ｔに取り付けられた実施の形態４に係る発電装置を示す斜視図である。図１４は、発電装置を示す図であり、（ａ）は背面図、（ｂ）は底面図である。図１５は、図１４（ａ）のＡ−Ａ矢視図（一部破断）である。図１３〜１５に示すように、実施の形態４に係る発電装置３０１は、保護ケース３１０と、発電部３２０と、操作レバー３３０とを備えている。
【００６３】
（構成−保護ケース）
保護ケース３１０は、具体的には、図１４に示すように、略箱状体であり、正面壁３１１と、背面壁３１２と、上面壁３１３と、下面壁３１４と、左面壁３１５と、右面壁３１６とを備えている。
【００６４】
また、この保護ケース３１０には、切欠部３１０ａ、３１０ｂが設けられている。切欠部３１０ａは、保護ケース３１０からの操作レバー３３０の出し入れを容易にするためのものであり、具体的には、図１３、１４（ａ）、（ｂ）に示すように、保護ケース３１０における操作レバー３３０に対応する位置に配置されている（より具体的には、背面壁３１２、下面壁３１４、及び左面壁３１５にわたって配置されている）。切欠部３１０ｂは、携帯電話Ｔが発電装置３０１に取り付けられた状態で、携帯電話Ｔのカメラの撮影を可能にするためのものであり、具体的には、図１３、１４（ａ）、（ｂ）に示すように、保護ケース３１０における携帯電話Ｔのカメラに対応する位置に配置されている（より具体的には、背面壁３１２、下面壁３１４、及び右面壁３１６にわたって配置されている）。
【００６５】
（構成−発電部）
発電部３２０は、具体的には、図１５に示すように、発電部３２０は、保護ケース３１０の内部に収容されており、ギア系統３２１と、ダイナモ３２２と、発電基板（図示省略）とを備えている。
【００６６】
（構成−発電部−ギア系統）
ギア系統３２１は、操作レバー３３０を介して伝達された外力をダイナモ３２２に伝達するための系統である。具体的には、図１５に示すように、ギア系統３２１は、ギア３２１ａと、ギア３２１ｂとを備えて構成されている。そして、後述する操作レバー３３０の伝達部３３２がギア３２１ａと当接しながら移動することに伴って、これらギア３２１ａ、及びギア３２１ｂは回転される。
【００６７】
（構成−発電部−ダイナモ）
ダイナモ３２２は、ギア３２１ｂから伝達された外力によって駆動されることにより発電を行うものであり、図１５に示すように、ギア３２１ｂの近傍に配置され、保護ケース３１０の背面壁３１２に対して固定具等にて接続されている。
【００６８】
（構成−操作レバー）
操作レバー３３０は、具体的には、図１４（ａ）、（ｂ）、図１５に示すように、保護ケース３１０の右端部近傍に配置されており、把持部３３１と、伝達部３３２とを備えている。
【００６９】
（構成−操作レバー−把持部）
把持部３３１は、具体的には、略方形状体（あるいは、略円柱状体、略球状体等）であり、保護ケース３１０の右下端部に配置されている。また、この把持部３３１全体は、支持部３３３として形成されている。
【００７０】
（構成−操作レバー−伝達部）
伝達部３３２は、具体的には、略棒状態にて形成されており、当接部分３３２ａと旋回部分３３２ｂとの２つに区分けされる。
【００７１】
当接部分３３２ａは、具体的には、当該伝達部３３２のギア３２１ａ側の側面がギア３２１ａと当接するように配置されており、当該伝達部３３２が保護ケース３１０のＸ方向の内側から当該Ｘ方向の外側に向けて（及びその反対側に向けて）直線移動可能となるように、保護ケース３１０の背面壁３１２に対して接続されている。ここで、当接部分３３２ａの構成については、具体的には、ギア３２１ａの歯と噛み合うように、当該当接部分３３２ａのギア３２１ａ側の側面の一部が略歯状に形成されている（すなわち、伝達部３３２の歯部分が形成されている）。また、この当接部分３３２ａと背面壁３１２との接続については、具体的には、保護ケース３１０のＸ方向の内側から当該Ｘ方向の外側に向けて当接部分３３２ａが摺動可能となるように、当接部分３３２ａの少なくとも一部が、背面壁３１２に設けられたガイドレール（図示省略）に保持されている。あるいは、当接部分３３２ａが、保護ケース３１０のＸ方向の内側から当該Ｘ方向の外側に向けて移動された後に、ユーザが伝達部３３２を操作することなく、その反対側に向けて移動可能となるように、当接部分３３２ａが、Ｘ方向に沿って伸縮可能な弾性バネ材（図示省略）等を介して背面壁３１２と接続されてもよい。
【００７２】
旋回部分３３２ｂは、具体的には、当接部分３３２ａにおいてＺ方向に略沿うように設けられた第４の旋回軸３４６を中心に旋回自在に軸支されていると共に、把持部３３１と接続されている。なお、この第４の旋回軸３４６は、特許請求の範囲における「所定の旋回軸」に対応する。
【００７３】
このような構成により、操作レバー３３０の伝達部３３２が保護ケース３１０のＸ方向の内側から当該Ｘ方向の外側に向けて直線移動し、且つ、伝達部３３２の旋回部分３３２ｂが保護ケース３１０から露出された状態で第４の旋回軸３４６を中心に旋回することができるので、保護ケース３１０における操作レバー３３０に関する切欠部の占める割合を実施の形態１〜３に比べて小さくすることができ、操作レバー３３０の収容性を向上させることができる。
【００７４】
（発電装置の機能）
このように構成された発電装置３０１の機能について説明する。図１６は、発電装置３０１の発電機能の概要を示す底面図であり、（ａ）は操作レバー３３０の操作前の状態を示す図であり、（ｂ）は操作レバー３３０の操作後の状態を示す図である。図１７は、発電装置３０１の設置機能の概要を示す図であり、（ａ）は操作レバー３３０の操作後の状態を示す背面図であり、（ｂ）は操作レバー３３０の操作後の状態を示す平面図である。ここで、実施の形態４に係る発電装置３０１の発電機能は、操作レバー３３０の伝達部３３２の直線移動により、発電装置３０１の発電を行う機能であり、実施の形態４に係る発電装置３０１の設置機能は、操作レバー３３０の伝達部３３２の旋回部分３３２ｂ及び支持部３３３の旋回移動により、携帯電話Ｔを支持面Ｗ上に立設させる機能である。また、これら発電装置３０１の発電機能及び設置機能については、上述した実施の形態１と異なる部分についてのみ、その処理を説明する。
【００７５】
（発電装置の機能−発電機能）
最初に、発電装置３０１の発電機能について説明する。なお、この説明では、発電装置３０１は、ユーザによって保護ケース３１０の正面壁３１１（又は背面壁３１２）の短手方向がＺ方向に略沿うように所持された状態で、操作されるものとする。
【００７６】
図１６（ａ）、（ｂ）に示すように、ユーザによって操作レバー３３０が保護ケース３１０のＸ方向の内側から当該Ｘ方向の外側に向けて操作されると（具体的には、ユーザによって操作レバー３３０の支持部３３３に外力が加えられると）、操作レバー３３０の伝達部３３２の当接部分３３２ａがギア３２１ａと当接しながら直線移動することにより、その外力はギア３２１ａに伝達される。次に、ギア３２１ａに伝達された外力は、当該ギア３２１ａの回転に伴って、ギア３２１ｂに伝達される。そして、このギア３２１ｂに伝達された外力は、当該ギア３２１ｂの回転によって、ダイナモ３２２に伝達される。これにより、ダイナモ３２２に伝達された外力によってダイナモ３２２を駆動することにより、発電を行うことが可能となる。
【００７７】
（発電装置の機能−設置機能）
次に、発電装置３０１の設置機能について説明する。まず、携帯電話Ｔが倒れないように保護ケース３１０をユーザの手で支持しながら、保護ケース３１０の下面壁３１４を支持面Ｗに当接させる。次に、操作レバー３３０における伝達部３３２の第４の旋回軸３４６が外部から露出するように、操作レバー３３０を保護ケース３１０のＸ方向の内側から当該Ｘ方向の外側に向けて直線移動させる。次いで、操作レバー３３０の伝達部３３２の旋回部分３３２ｂ及び支持部３３３を第４の旋回軸３４６を中心に旋回させることにより、操作レバー３３０の支持部３３３における支持面Ｗとの当接部分を、支持面Ｗと当接する方向に向けて移動させる。そして、これら操作レバー３３０の伝達部３３２の旋回部分３３２ｂ及び支持部３３３の旋回移動により、当該支持部３３３における支持面Ｗとの当接部分を支持面Ｗに当接させる。これにより、図１７（ａ）、（ｂ）に示すように、携帯電話Ｔを保護ケース３１０を介して支持面Ｗに対して立設させることが可能となる。
【００７８】
（効果）
このように実施の形態４によれば、操作レバー３３０は、把持部３３１と、ユーザによって外力が把持部３３１に対して加えられた場合に、当接部分３３２ａが把持部３３１の移動に伴ってギア３２１ａと当接しながら直線移動し、且つ、旋回部分３３２ｂが保護ケース３１０から露出された状態で第４の旋回軸３４６を中心に旋回する伝達部３３２と、を備えているので、例えば保護ケース３１０における操作レバー３３０に関する切欠部の占める割合を実施の形態１〜３に比べて小さくすることができる。これにより、操作レバー３３０の収容性を向上させることができ、操作レバー３３０の誤操作等を防止することができる。
【００７９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８０】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、操作手段が外力を発電手段に対して伝達しづらい場合であっても、操作手段における外力の伝達構造を、従来とは異なる技術により従来と同様に達成できている場合には、本願発明の課題が解決されている。
【００８１】
（保護ケースについて）
上記実施の形態１〜４では、保護ケースは、携帯電話Ｔの一部を覆うものとして説明したが、例えば、携帯電話Ｔのすべてを覆うものであってもよい。この場合において、保護ケースにおける携帯電話Ｔの画面部分を覆うカバー部の構成については、例えば、携帯電話Ｔの画面部分が外部から視認可能であり、且つタッチパネル操作可能な樹脂材等にて形成されることが望ましい。
【００８２】
上記実施の形態１〜４では、携帯電話Ｔを保護ケースに嵌め込むようにして、保護ケースを携帯電話Ｔに取り付けると説明したが、例えば、磁石、ビス、又は保護ケースに設けられた係止爪等の係止手段によって、保護ケースを携帯電話Ｔに取り付けるようにしてもよい。
【００８３】
（発電部について）
上記実施の形態１〜４では、発電部全体が保護ケースの内部に収容されていると説明したが、例えば、発電部の一部が保護ケースの内部に収容されて、発電部の他の一部が外部に露出されるように保護ケースに取り付けられてもよい。
【００８４】
また、上記実施の形態１〜４では、図４、図１４、図１５に示すように、発電部は保護ケースの正面略中央位置に配置されていると説明したが、保護ケースの正面略中央位置以外の他の位置に配置されてもよい。例えば、上記実施の形態１において、携帯電話Ｔのディスプレイや保護ケース１０が透過性樹脂等によって透明又は半透明に形成されている場合には、発電部２０はユーザの視線の妨げにならない位置（具体的には、保護ケース１０の正面上端部、正面下端部、正面左端部、又は正面右端部の近傍位置等）に配置されることが望ましい。
【００８５】
また、上記実施の形態１〜４では、発電部はダイナモを用いた発電機構（いわゆる電磁誘導方式の機構）で構成されていると説明したが、これ以外の発電機構で構成されてもよく、例えば圧電素子を用いた発電機構で構成されてもよい。具体的には、発電部は、圧電素子と、可撓性を有する振動板とを備えており、この圧電素子は、振動板の側面に固定されている。また、この振動板の一方の端部は、保護ケースに対して固定されており、この振動板のもう一方の端部は、自由端とするものであり、且つ操作レバーの伝達部と当接されている。このような発電機構の構成により、ユーザによって操作レバーが操作されると、操作レバーの伝達部にて伝達された外力によって振動板が変形され、この振動板の変形に伴って圧電素子が変形されるので、発電を行うことが可能になる。
【００８６】
（発電基板について）
上記実施の形態１〜４では、発電基板には、電力変換部や電力出力部が実装されていると説明したが、例えば、これに加えて、ダイナモによって発電された電力を蓄電する蓄電部（例えば充電式電池等）を備えてもよい。これにより、状況に応じて携帯電話Ｔに電力を供給することができる。
【００８７】
（操作レバーの数について）
上記実施の形態１〜３では、発電装置は、操作レバー３０ａ、３０ｂを備えていると説明したが、１本の操作レバーのみを備えてもよい。この場合において、発電部２０は、１本のギア系統を備えて構成される。
また、上記実施の形態４では、発電装置３０１は、操作レバー３３０を備えていると説明したが、さらに、１本の操作レバーを備えてもよい。
【００８８】
（把持部の形状について）
上記実施の形態１〜３では、操作レバー３０ａ、３０ｂの把持部は、略弓状に形成されていると説明したが、例えば略直線状に形成されてもよい。
【００８９】
（伝達部について）
上記実施の形態１〜４では、発電装置の発電機能において、操作レバーの伝達部全体が、保護ケースの内側から外側に向けて移動されると説明したが、例えば、この伝達部の一部が、保護ケースの内側から外側に向けて移動されてもよい。具体的には、実施の形態４において、伝達部３３２が略紐状体に形成されており、この伝達部３３２が保護ケース３１０に収容された巻き出し部に巻き付けられている場合には、この伝達部３３２の一部のみを保護ケース３１０の内側から外側に向けて巻き出すことができるように、発電装置３０１が構成されてもよい。
【００９０】
（発電装置の設置機能について）
上記実施の形態１〜３では、保護ケース１０の正面壁１１（又は背面壁１２）の長手方向がＺ方向に略沿うように、携帯電話Ｔが保護ケース１０を介して支持面Ｗに対して立設されていると説明したが、例えば保護ケース１０の正面壁１１（又は背面壁１２）の短手方向がＺ方向に略沿うように、携帯電話Ｔが保護ケース１０を介して支持面Ｗに対して立設されてもよい。
また、上記実施の形態４では、保護ケース３１０の正面壁３１１（又は背面壁３１２）の短手方向がＺ方向に略沿うように、携帯電話Ｔが保護ケース３１０を介して支持面Ｗに対して立設されていると説明したが、例えば保護ケース３１０の正面壁３１１（又は背面壁３１２）の長手方向がＺ方向に略沿うように、携帯電話Ｔが保護ケース３１０を介して支持面Ｗに対して立設されてもよい。
【００９１】
また、上記実施の形態１〜４では、携帯電話Ｔは、操作レバーの支持部によって保護ケースを介して支持面Ｗに対して立設されていると説明したが、これに限られない。例えば、携帯電話Ｔは、この支持部によって保護ケースを介して垂直な支持面Ｗ上に取り付けられてもよい。この場合において、保護ケースがこの支持部によってこの支持面Ｗに固定可能なように、例えばこの支持部がフック状に形成されてもよい。
【符号の説明】
【００９２】
１、１０１、２０１、３０１  発電装置
１０、３１０  保護ケース
１１、３１１  正面壁
１０ａ、１０ｂ、１０ｃ、３２ａ、１４３ｃ、２４５ｃ、３１０ａ、３１０ｂ  切欠部
１２、３１２  背面壁
１３、３１３  上面壁
１４、３１４  下面壁
１５、３１５  左面壁
１６、３１６  右面壁
２０、３２０  発電部
２１  第１のギア系統
２１ａ、２１ｂ、２１ｄ、２１ｅ  第１のギア
２１ｃ  第１のラチェットギア
２２  第２のギア系統
２２ａ、２２ｂ、２２ｄ、２２ｅ  第２のギア
２２ｃ  第２のラチェットギア
２３、３２２  ダイナモ
２４  発電基板
３０ａ、３０ｂ、３３０  操作レバー
３１、２３１、３３１  把持部
３２、３３２  伝達部
３３、１３３、２３３、３３３  支持部
４１  第１の旋回軸
４２  第２の旋回軸
１４３、２４５  ボールジョイント機構
１４３ａ、２４５ａ  球受け部
１４３ｂ、２４５ｂ  球部
１４３ｄ、２４５ｄ  球部近傍部分
２３１ａ  上側部分
２３１ｂ  下側部分
２４４  第３の旋回軸
３２１  ギア系統
３２１ａ、３２１ｂ  ギア
３３２ａ  当接部分
３３２ｂ  旋回部分
３４６  第４の旋回軸
Ｗ  支持面
Ｔ  携帯電話
【図１】
2014068162.tif 000003
【図２】
2014068162.tif 000004
【図３】
2014068162.tif 000005
【図４】
2014068162.tif 000006
【図５】
2014068162.tif 000007
【図６】
2014068162.tif 000008
【図７】
2014068162.tif 000009
【図８】
2014068162.tif 000010
【図９】
2014068162.tif 000011
【図１０】
2014068162.tif 000012
【図１１】
2014068162.tif 000013
【図１２】
2014068162.tif 000014
【図１３】
2014068162.tif 000015
【図１４】
2014068162.tif 000016
【図１５】
2014068162.tif 000017
【図１６】
2014068162.tif 000018
【図１７】
2014068162.tif 000019